(57)【要約】【課題】  ネームディスプレイ機能で送られて来た名称（名前）に変更があっても、正確に相手先を確認できるようにする。【解決手段】  受信した発信元がワンタッチダイヤルに登録されていると判断された場合は（ステップ２０６でＹｅｓ）、以前に網からの発信元名称情報を受信したことがあるか否かの判断を行う（ステップ２０７）。初めての場合は、受け取った発信元電話番号情報と発信元名称情報とを記憶し、同時に両情報を表示する（ステップ２１５）。受信履歴がある場合は（ステップ２０７でＹｅｓ）、発信元電話番号情報と以前に記憶した発信元名称とを表示する（ステップ２０８）。また、網から送られて来た発信元名称と自機に記憶してある名称とを比較し（ステップ２１１）、異なる場合は、名称変更があった旨を表示し、必要があれば、自機の登録を変更する（ステップ２１２）。【選択図】  図２
2006050106.tif 000002
【特許請求の範囲】
【請求項１】
通信事業者が提供する電話回線網に接続し、電話番号と対応する名称とを対応付けて記憶する通信相手先情報記憶手段を有する通信装置において、発信元電話番号情報および発信元名称情報とを受信する発信元情報受信手段と、受信履歴を保存する受信履歴記憶手段と、前記発信元情報受信手段が受信した発信元情報を基に、前記通信相手先情報記憶手段の中から一致する通信相手先を検索する検索手段と、該検索手段により一致する通信相手先に対応する名称が前記受信した発信元名称情報と異なる場合、前記受信履歴を参照し、過去に受信したことのある相手なら、前記通信相手先情報記憶手段に記憶されている名称を表示する表示手段とを備えたことを特徴とする通信装置。
【請求項２】
請求項１記載の通信装置において、前記電話回線網から送られて来た発信元名称情報と前記通信相手先情報記憶手段に記憶されている名称情報とを比較して違いを検出する検出手段と、該検出手段により違いを検出したら、その旨を伝える通知手段と、前記通信相手先情報記憶手段に新しい名称を記憶し直す更新手段とを設けたことを特徴とする通信装置。
【請求項３】
通信事業者が提供する電話回線網に接続し、電話番号と対応する名称とを対応付けて記憶する通信相手先情報記憶手段を有する通信装置の発信元情報表示方法において、発信元電話番号情報および発信元名称情報とを受信し、受信履歴を保存し、前記受信した発信元情報を基に、前記通信相手先情報記憶手段の中から一致する通信相手先を検索し、一致する通信相手先に対応する名称が前記受信した発信元名称情報と異なる場合、前記受信履歴を参照し、過去に受信したことのある相手なら、前記通信相手先情報記憶手段に記憶されている名称を表示することを特徴とする発信元情報表示方法。
【請求項４】
請求項３記載の発信元情報表示方法において、前記電話回線網から送られて来た発信元名称情報と前記通信相手先情報記憶手段に記憶されている名称情報とを比較して違いを検出したら、その旨を通知し、前記通信相手先情報記憶手段に新しい名称を記憶し直すよう促すことを特徴とする発信元情報表示方法。
【請求項５】
コンピュータに請求項３又は請求項４に記載の発信元情報表示方法を実行させることを特徴とするプログラム。
【請求項６】
請求項５に記載のプログラムをコンピュータが読み取り可能な形式により記録されていることを特徴とする記録媒体。
【発明の詳細な説明】
【技術分野】
【０００１】
本発明は、通信装置に関し、特に発信元電話番号表示機能（いわゆるナンバーディスプレイ機能）及び発信元名称情報表示機能（いわゆるネームディスプレイ機能）を有する通信装置に関する。
【背景技術】
【０００２】
携帯電話では、発信元の電話番号を受信側に通知して、受信者が発信元を確認した後に電話に出るということが日常として行われている。受信者は通話先情報として、予め先方の電話番号と名前（あるいは会社名や所属名）とを携帯電話の電話帳に登録しておく。このようにしておくと、電話帳に登録してある相手からの呼出時には、携帯電話の表示部には登録してある名前と電話番号が表示され、電話に出る前に相手を確認することができ、安心して電話に出ることができる。
固定電話では、ネームディスプレイ機能により発信元の名前を表示する機能を有する電話やファクシミリ等の通信装置が知られている。このような通信装置では、ナンバーディスプレイ機能による電話番号の表示だけでなく、自機に名前を登録しなくても発信元の名前が表示されて非常に便利である。
一方、ファクシミリでは、頻繁に送受信する相手のＦＡＸ番号と宛先名および受信時の発信元表示をワンタッチ／短縮電話番号に登録しておき、受信、送信の別で使い分けるようにしているものもある（例えば特許文献１）。
【特許文献１】特開２００１−１６３８７公報
【発明の開示】
【発明が解決しようとする課題】
【０００３】
しかし、ネームディスプレイ機能を使用していると、判読し易いため、発信元を特定するのに電話番号ではなく名前で判断することが多くなる。このため、例えば、知人のＡさんが自宅で“α商事”と言うような社名で事業を始めたとして、ネームディスプレイ情報で表示する内容を“α商事”に変更したような場合、Ａさんから送られて来る発信元名称情報（会社名）をそのまま表示してしまうと、発信元は同じであるにも関わらず、従来は“Ａ氏”と表示されていたのに、ある日突然“α商事”と言う馴染みのない名称が表示され、最悪、その呼び出しを不信に思い、応答しないという場合も考えられる。
本発明は、上述した実情を考慮してなされたものであって、ネームディスプレイ機能で送られて来た名称（名前）に変更があっても、正確に相手先を確認できるようにすることを目的とする。
【課題を解決するための手段】
【０００４】
上記の課題を解決するために、請求項１に記載の発明は、通信事業者が提供する電話回線網に接続し、電話番号と対応する名称とを対応付けて記憶する通信相手先情報記憶手段を有する通信装置において、発信元電話番号情報および発信元名称情報とを受信する発信元情報受信手段と、受信履歴を保存する受信履歴記憶手段と、前記発信元情報受信手段が受信した発信元情報を基に、前記通信相手先情報記憶手段の中から一致する通信相手先を検索する検索手段と、該検索手段により一致する通信相手先に対応する名称が前記受信した発信元名称情報と異なる場合、前記受信履歴を参照し、過去に受信したことのある相手なら、前記通信相手先情報記憶手段に記憶されている名称を表示する表示手段とを備えたことを特徴とする。
また、請求項２は、請求項１記載の通信装置において、前記電話回線網から送られて来た発信元名称情報と前記通信相手先情報記憶手段に記憶されている名称情報とを比較して違いを検出する検出手段と、該検出手段により違いを検出したら、その旨を伝える通知手段と、前記通信相手先情報記憶手段に新しい名称を記憶し直す更新手段とを設けたことを特徴とする。
また、請求項３は、通信事業者が提供する電話回線網に接続し、電話番号と対応する名称とを対応付けて記憶する通信相手先情報記憶手段を有する通信装置の発信元情報表示方法において、発信元電話番号情報および発信元名称情報とを受信し、受信履歴を保存し、前記受信した発信元情報を基に、前記通信相手先情報記憶手段の中から一致する通信相手先を検索し、一致する通信相手先に対応する名称が前記受信した発信元名称情報と異なる場合、前記受信履歴を参照し、過去に受信したことのある相手なら、前記通信相手先情報記憶手段に記憶されている名称を表示することを特徴とする。
また、請求項４は、請求項３記載の発信元情報表示方法において、前記電話回線網から送られて来た発信元名称情報と前記通信相手先情報記憶手段に記憶されている名称情報とを比較して違いを検出したら、その旨を通知し、前記通信相手先情報記憶手段に新しい名称を記憶し直すよう促すことを特徴とする。
また、請求項５は、請求項３又は請求項４に記載した発信元情報表示方法を実行することを特徴とするプログラムであることを特徴とする。
また、請求項６は、請求項５に記載のプログラムをコンピュータが読み取り可能な形式により記録されていることを特徴とする記録媒体であることを特徴とする。
【発明の効果】
【０００５】
本発明によれば、一度、発信元名称の情報を受信すると発信元電話番号と発信元名称情報とを対応付けて記憶し、その後の着呼時には、網から送られて来た発信電話番号の情報を基に、以前に受信した馴染みのある発信元名称を表示するので、知らない相手からの呼び出しと勘違いすることなく相手確認が可能となる。
また、網から送られて来た発信元名称と以前に送られて来たそれとが異なることをオペレータに知らせ、新しい発信元名称に登録し直すようにしているので、オペレータに名称が変更されたことを認識させたうえで、次回以降の呼び出し時の表示名称を変えることができ、新しい名称表示に対しても正しい相手先の判断が可能となる。
【発明を実施するための最良の形態】
【０００６】
以下、図面を参照して、本発明の実施形態を詳細に説明する。
図１は、本発明の通信装置の構成を示すブロック図である。本実施の形態では、通信装置の一例としてファクシミリ装置で実現しているが、電話機などネームディスプレイサービスを利用できる機器単独でも、あるいは他の装置に組み込んで使用する通信装置の形態で実施してもよい。
図１において、制御部１０１は、装置の各部の制御処理及びファクシミリ装置各部の動作制御を行うものである。システムメモリ１０２は、制御部１０１が実行する制御処理プログラム及びプログラムを実行するときに必要な各種データなどを記憶するとともに、制御部１０１のワークエリアを構成するものである。パラメータメモリ１０３は、ファクシミリ装置に固有な各種の情報を記憶するためのものである。スキャナ１０４は、所定の解像度で原稿を読み取るためのものであり、プロッタ１０５は、所定の解像度で画像を記録出力するためのものであり、操作表示部１０６は、このファクシミリ装置を操作する為のもので、各種の操作キーや各種の表示器（ＬＣＤを含む）からなる。符号化復号化部１０７は、画信号を符号化圧縮するとともに、符号化圧縮されている画情報を元の画信号に復号化するためのものであり、画像蓄積装置１０８は、符号化圧縮された状態の画情報を多数記憶するためのものである。モデム１０９は、グループ３ファクシミリ（Ｇ３）の通信データを送受信するためのものであり、伝送手段信号を送出する低速モデム機能（Ｖ．２１等）や主に画情報を送受信するための高速モデム機能（Ｖ．１７，Ｖ．２９，Ｖ．２７ｔｅｒ等）、発信元電話番号や発信元企業名称等を受信するための機能（Ｖ．２３）も備えている。網制御部１１０は、本実施の形態のファクシミリ装置をＰＳＴＮ回線網に接続するもので自動発呼端末機能を備えている。これらの、制御部１０１、システムメモリ１０２、パラメータメモリ１０３、スキャナ１０４、プロッタ１０５、操作表示部１０６、符号化復号化部１０７、画像蓄積装置１０８、モデム１０９、及び網制御部１１０は、システムバス１１１に接続されており、これらの各要素間でのデータのやり取りは、主としてこのシステムバスを介して行われる。また、網制御部１１０とモデム１０９との間のやり取りは直接行われている。
なお、本発明の発信元情報受信手段はモデム１０９、通信相手先情報記憶手段、受信履歴記憶手段はパラメータメモリ１０３、検索手段、検出手段、通知手段及び更新手段は制御部１０１、表示手段は操作表示部１０６によって実現されるものである。
【０００７】
本実施の形態の通信装置（ファクシミリ）の機能／動作は次のようになっている。
操作表示部１０６の表示器には、発信元電話番号と発信元名称（企業名や氏名）を表示することができる。
そして、ワンタッチダイヤルに登録してある相手からの呼び出しのみ、網からの名称情報を記憶し、次の呼び出しからは、その記憶した名称情報を表示するようにしている。
ワンタッチダイヤルに登録してない相手からの呼び出しで、発信元名称の情報を受信した場合は、その網から受け取った名称情報をそのまま表示するようにしている。
また、網から送られて来た発信元名称と自機のワンタッチダイヤルに登録してある名称が異なった場合は、オフフック時にメッセージを表示するようにして、必要であれば登録変更を促すようにしている。
また、情報受信端末起動信号に応答した場合は網からは必ず発信元電話番号の情報が提供されるものとする。また、受信モードは電話モードに設定されていて、ＦＡＸの受信はスタートキーを押して行う所謂“手動受信”で行うものとする。
【０００８】
図２は、本実施の形態の通信装置が実行する相手先情報の表示処理を示すフローチャートである。なお、図２に示す処理は制御部１０１がシステムメモリ１０２に格納されているプログラムを実行することにより実現されるものである。
まず、情報受信端末起動信号を待つ（ステップ２０１）。この信号を検出すると、一次応答を行い（ステップ２０２）、Ｖ．２３信号で送られて来る通信前情報を受信し（ステップ２０３）、受信完了信号（ステップ２０４）を送出する。その後、ステップ２０３で受信した情報を解析して、発信元名称情報を受信したか否かを判断する（ステップ２０５）。
受信していなかった場合は、受信した発信元電話番号の情報のみ表示して（ステップ２１３）終了する。発信元名称情報を受信していた場合は（ステップ２０５でＹｅｓ）、同時に受信した発信元電話番号の情報より、ワンタッチダイヤルに登録されている相手か否かの判断を行う（ステップ２０６）。ワンタッチダイヤルに登録されていない相手の場合、網から受け取った発信元電話番号と発信元名称の情報をそのまま表示する（ステップ２１４）。ワンタッチダイヤルに登録されている相手と判断された場合は（ステップ２０６でＹｅｓ）、以前に網からの発信元名称情報を受信したことがあるか否かの判断を行う（ステップ２０７）。初めて受信したと判断した場合は、受け取った発信元電話番号情報と発信元名称情報とを記憶し、同時に両情報を表示する（ステップ２１５）。以前に記憶した履歴がある場合は（ステップ２０７でＹｅｓ）、発信元電話番号情報と以前に記憶した発信元名称とを表示する（ステップ２０８）。その後、呼び出し信号の消滅とオフフック状態を監視し（ステップ２０９、２１０）、呼び出し信号が消滅した場合は、処理を終了させ、オフフック状態を検出した場合は、網から送られて来た発信元名称と自機に記憶してある名称が同じか否かの判断を行う（ステップ２１１）。同じ場合は、処理を終了する。異なっていた場合は（ステップ２１１でＹｅｓ）、名称変更があった旨を表示し、登録を新名称に変更するか否かの判断を仰ぎ、変更要求があれば、自機の登録を変更して（ステップ２１２）、処理を終了する。
【０００９】
なお、コンピュータに上記した通信装置の発信元情報表示方法を実行させるためのプログラムを記録したコンピュータ読み取り可能なフロッピィディスクや光ディスク等の記録媒体を作成することもできる。その記録媒体を汎用のパーソナルコンピュータ等のフロッピィディスク装置やＣＤ−ＲＯＭリーダ等の光ディスク装置に装着して、そこに記録されているプログラムを読み取って内部のハードディスク等の記録装置にインストールさせることにより、本発明の通信装置としての機能を持たせることが可能となる。
【図面の簡単な説明】
【００１０】
【図１】本発明の実施の形態にかかる通信装置の構成を示すブロック図である。
【図２】本実施の形態の通信装置が実行する相手先情報の表示処理を示すフローチャートである。
【符号の説明】
【００１１】
１０１…制御部、１０２…システムメモリ、１０３…パラメータメモリ、１０４…スキャナ、１０５…プロッタ、１０６…操作表示部、１０７…符号化復号化部、１０８…画像蓄積装置、１０９…モデム、１１０…網制御部、１１１…システムバス
【図１】
2006050106.tif 000003
【図２】
2006050106.tif 000004